(57)【特許請求の範囲】
【請求項１】
回転止め可能な回転軸装置として機能するリクライナであって、
互いに相対回転可能に軸方向に組み付けられたラチェット及びガイドと、
当該ラチェットとガイドとの間に設けられてこれらの相対回転を径方向の噛合によりロックするロック機構と、を有し、
前記ロック機構は、
前記ガイドにより周方向に支えられ径方向の外側へ押される移動により前記ラチェットに形成された内周歯と噛合する外周歯を備えた複数のポールと、
当該複数のポールを前記ガイドに対して径方向の外側へ押し出すように操作する操作カムと、を有し、
前記複数のポールのうちの特定のポールは、前記操作カムによって径方向の外側へ押される移動により前記ガイドに形成された規制部に径方向の内側から周方向の移動が規制された状態に当接する押当部を有し、前記操作カムによって径方向の外側へ押される移動により前記ラチェットと噛合するよりも先に前記押当部が前記規制部と当接し、更なる移動の進行により前記ラチェットと噛合する構成とされ、
前記押当部と前記規制部との当接形状が、これらの当接点を支点に前記特定のポールを前記ラチェットと噛合させる径方向の外側へと回転させられるようにする線当たり形状とされるリクライナ。
【請求項２】
請求項１に記載のリクライナであって、
前記特定のポールが前記操作カムによって径方向の内側から押される第１当接点と、前記押当部が前記規制部に当接する第２当接点と、前記特定のポールが前記外周歯の一部を前記ラチェットに優先的に押し当てて噛合させる第３当接点と、が、互いに周方向にずれた配置関係とされているリクライナ。
【請求項３】
請求項１又は請求項２に記載のリクライナであって、
前記押当部が前記特定のポールから周方向に延出した凸形状とされ、前記規制部が前記押当部を径方向の内側から受け入れ可能に前記ガイドに凹んで形成された凹形状とされているリクライナ。
【請求項４】
請求項１から請求項３のいずれかに記載のリクライナであって、
前記複数のポールの全てに前記押当部が形成されているリクライナ。
【発明の詳細な説明】
【技術分野】
【０００１】
本発明は、リクライナに関する。詳しくは、回転止め可能な回転軸装置として機能するリクライナに関する。
【背景技術】
【０００２】
従来、車両用シートにおいて、シートバックがシートクッションに対してリクライナを介して背凭れ角度の調節を行える状態に連結された構成が知られている（特許文献１）。上記リクライナは、互いに相対回転可能な状態に組み付けられたラチェット及びガイドと、これらの相対回転をロック可能なロック機構と、を有した構成とされている。上記ロック機構は、ガイドにセットされた複数のポールがラチェットの外周部に形成された内周歯に噛合されることにより、ラチェットとガイドとの間の相対回転をロックする構成とされている。
【０００３】
具体的には、上記複数のポールは、ガイドに対して周方向に支えられた状態として設けられており、径方向の外側へ押し出される移動により、それらの外周歯がラチェットの内周歯に噛合されて保持されるようになっている。また、上記複数のポールのうちの１つは、周方向に斜めに２分割された分割ポールとして構成されており、上記径方向の外側へ押し出される移動により、周方向に幅を広げる形に押し動かされて、ガイドに対する周方向のガタ付きをなくした状態となってラチェットの内周歯に噛合する構成とされている。上記のガタ詰めにより、ラチェットとガイドとが分割ポールを介して互いに周方向にガタ付かない状態となって回転止めされるようになっている。
【先行技術文献】
【特許文献】
【０００４】
【特許文献１】特開２０１３−２２４０９号公報
【発明の概要】
【発明が解決しようとする課題】
【０００５】
上記従来技術では、ポールの分割により部品点数が増える他、分割された小片の狭い設置スペースへの組み付けが必要となるため、製造コストが増大する。本発明は、上記問題を解決するものとして創案されたものであって、本発明が解決しようとする課題は、リクライナのロック時における周方向のガタ詰めを簡素な構成で行えるようにすることにある。
【課題を解決するための手段】
【０００６】
上記課題を解決するために、本発明のリクライナは次の手段をとる。
【０００７】
第１の発明は、回転止め可能な回転軸装置として機能するリクライナである。このリクライナは、互いに相対回転可能に軸方向に組み付けられたラチェット及びガイドと、ラチェットとガイドとの間に設けられてこれらの相対回転を径方向の噛合によりロックするロック機構と、を有する。ロック機構は、ガイドにより周方向に支えられ径方向の外側へ押される移動によりラチェットに形成された内周歯と噛合する外周歯を備えた複数のポールと、複数のポールをガイドに対して径方向の外側へ押し出すように操作する操作カムと、を有する。複数のポールのうちの特定のポールは、操作カムによって径方向の外側へ押される移動によりガイドに形成された規制部に径方向の内側から周方向の移動が規制された状態に当接する押当部を有する構成とされている。
【０００８】
この第１の発明によれば、複数のポールとこれらを周方向に支えるガイドとの間に摺動性確保のための周方向の隙間が設定されていても、各ポールがラチェットと噛合する際に特定のポールに形成された押当部がガイドの規制部と当接することで、同特定のポールのガイドに対する周方向のガタが規制される。上記規制により、上記規制と合わせてラチェットと噛合状態となる特定のポールを介して、ラチェットとガイドとの間の周方向のガタを簡素な構成で詰めることができる。
【０００９】
第２の発明は、上述した第１の発明において、次の構成とされているものである。特定のポールが操作カムによって径方向の内側から押される第１当接点と、押当部が規制部に当接する第２当接点と、特定のポールが外周歯の一部をラチェットに優先的に押し当てて噛合させる第３当接点と、が、互いに周方向にずれた配置関係とされている。
【００１０】
この第２の発明によれば、特定のポールが操作カムによって径方向の内側から押される移動により、第２当接点と第３当接点のうちのどちらが先に当てられても、更なる移動の進行によってもう一方も適切に当てた状態とできるように、特定のポールの姿勢を適切に補正することができる。
【００１１】
第３の発明は、上述した第１又は第２の発明において、次の構成とされているものである。特定のポールは、操作カムによって径方向の外側へ押される移動によりラチェットと噛合するよりも先に押当部が規制部に当接し、更なる移動の進行によりラチェットと噛合する構成とされている。
【００１２】
この第３の発明によれば、特定のポールの押当部をガイドの規制部に適切に当接させた状態として、特定のポールをラチェットと噛合させることができる。
【００１３】
第４の発明は、上述した第３の発明において、次の構成とされているものである。押当部と規制部との当接形状が、これらの当接点を支点に特定のポールをラチェットと噛合させる径方向の外側へと回転させられるようにする線当たり形状とされている。
【００１４】
この第４の発明によれば、特定のポールの押当部とガイドの規制部との当接点を変化させることなく、安定した動きで特定のポールをラチェットと噛合させることができる。
【００１５】
第５の発明は、上述した第１から第４のいずれかの発明において、次の構成とされているものである。押当部が特定のポールから周方向に延出した凸形状とされ、規制部が押当部を径方向の内側から受け入れ可能にガイドに凹んで形成された凹形状とされている。
【００１６】
この第５の発明によれば、ガイドと特定のポールとの形状関係において、形状が大きい側となるガイドに規制部を凹形状として形成し、形状が小さい側となる特定のポールに押当部を凸形状として形成することで、これらを成形性良く肉抜きしたり肉増ししたりして簡便に形成することができる。
【００１７】
第６の発明は、上述した第１から第５のいずれかの発明において、次の構成とされているものである。複数のポールの全てに押当部が形成されている。
【００１８】
この第６の発明によれば、ラチェットとガイドとの間の周方向のガタを簡素な構成によって効果的に詰めることができる。
【図面の簡単な説明】
【００１９】
【図１】実施例１のリクライナが適用された乗物用シートの概略構成を表した斜視図である。
【図２】リクライナの組み付け部を一方側から見た分解斜視図である。
【図３】リクライナの組み付け部を他方側から見た分解斜視図である。
【図４】リクライナを一方側から見た分解斜視図である。
【図５】リクライナを他方側から見た分解斜視図である。
【図６】リクライナをガイド側から見た正面図である。
【図７】図１のVII-VII線断面図である。
【図８】リクライナのロック状態を表した図７のVIII-VIII線断面図である。
【図９】リクライナのアンロック状態を表した断面図である。
【図１０】ポールが操作カムに押されてラチェットと噛合するまでの動きを拡大して表した模式図である。
【図１１】ポールとラチェットとの噛合わせ部を拡大して表した模式図である。（要否の検討中）
【発明を実施するための形態】
【００２０】
以下に、本発明を実施するための形態について、図面を用いて説明する。
【実施例１】
【００２１】
＜リクライナ４の概略構成について＞
始めに、実施例１のリクライナ４の構成について、図１〜図１１を用いて説明する。本実施例のリクライナ４は、図１に示すように、自動車の左側座席を構成するシート１に適用されており、着座乗員の背凭れとなるシートバック２を、着座部となるシートクッション３に対して、背凭れ角度の調節を行える状態に連結する回転止め可能な回転軸装置（継手装置）として機能する構成とされている。上述したリクライナ４は、シートバック２の左右各側の内部骨格を構成する各サイドフレーム２Ｆの下端部と、シートクッション３の左右各側の後端部の内部骨格を構成する各リクライニングプレート３Ｆと、の間にそれぞれ介在して設けられており、これらを互いに相対回転可能な状態に連結している（図２〜図３参照）。上述したシートバック２の各サイドフレーム２Ｆは、それぞれ、上述した各リクライニングプレート３Ｆよりもシート幅方向の内側に配置されており、これらの各間に上述した各リクライナ４がそれぞれ介在して設けられている。
【００２２】
図１に示すように、上述した各リクライナ４は、常時は、シートバック２の背凭れ角度を固定したロック状態に保持されている。各リクライナ４は、シートクッション３の車両外側（左側）の側部に設けられたリクライニングレバー５が引き上げられる操作により、それらのロック状態が一斉に解除されて、シートバック２の背凭れ角度を変えられるアンロック状態へと切り替えられるようになっている。また、各リクライナ４は、上記リクライニングレバー５の引き上げられた操作状態が戻されることにより、付勢によって再びロック状態に戻されるようになっている。
【００２３】
上述したシートバック２の左右各側のサイドフレーム２Ｆとそれらの外側に配置された各リクライニングプレート３Ｆとの間には、それぞれ、シートバック２に対して常時、前倒れ回転する方向への付勢力をかけるリターンスプリング６が掛着されている。これらリターンスプリング６の回転付勢力により、シートバック２は、上述した各リクライナ４による背凭れ角度の固定状態が解かれることで、着座乗員の背部に当たる位置まで起こし上げられて、着座乗員の身体が前後に傾動される動きに合わせてその背凭れ角度が前後に自由に調節されるようになっている。このような付勢構造が設けられていることにより、シートバック２の背凭れ角度の調節を簡便に行うことができるようになっている。
【００２４】
上述したシートバック２は、上述したシートクッション３に対して、直立姿勢よりも前に傾けられた前傾姿勢位置と後方側に略真っ直ぐに倒された後倒れ位置との間の９０度以上の回転域を回動することができるようになっている。このうち、シートバック２の背凭れ角度が上方側に真っ直ぐに起立した位置から上述した後倒れ位置までの間の約９０度の回転域は、リクライニングレバー５の引き上げ操作がやめられることでシートバック２の背凭れ角度が固定された状態に戻される「ロックゾーン」の回転域として設定されている。また、シートバック２の背凭れ角度が上述した起立位置から前傾姿勢位置まで倒される間の回転域は、リクライニングレバー５の引き上げ操作がやめられてもシートバック２の背凭れ角度が固定された状態に戻されず解除された状態に維持される「フリーゾーン」の回転域として設定されている。
【００２５】
上述したロックゾーン及びフリーゾーンの各回転域は、それぞれ、後述する各リクライナ４に設定されたロックゾーンやフリーゾーンの各回転域によって形成されている。上述したフリーゾーンの回転域が設定されていることにより、シートバック２は、シート１に人が座っていない状態でリクライニングレバー５が操作された時には、付勢によってフリーゾーンに入る位置まで倒し込まれたら、その後はリクライニングレバー５の操作状態を継続しなくても自動的に前傾姿勢位置まで倒されていくようになっている。
【００２６】
＜リクライナ４の具体的な構成について＞
上述した各リクライナ４は、図２〜図３に示すように、具体的には、上述したシートバック２の各側のサイドフレーム２Ｆの外側面に一体的に結合されるラチェット１０と、各側のリクライニングプレート３Ｆの内側面に一体的に結合されるガイド２０と、を有し、これらラチェット１０とガイド２０とが互いの相対回転をロックされたり解除されたりすることにより、シートバック２の背凭れ角度を固定したり解除したりする構成とされている。
【００２７】
以下、上述した各リクライナ４の具体的な構成について詳しく説明していく。なお、各リクライナ４は、互いに左右対称な向きに配設されているが、実質的な構成は同じものとなっている。したがって、以下では、これらを代表して、図２〜図３に示されている車両外側（左側）に配置された一方側のリクライナ４の構成について説明することとする。図４〜図５に示すように、リクライナ４は、互いに軸方向に組み付けられる略円板形状のラチェット１０及びガイド２０と、これらの間に組み付けられる３つのポール３０及びこれらを径方向に移動操作する操作カム４０と、操作カム４０をガイド２０に対してロック作動させる回転方向に付勢するスパイラルスプリングから成るロックスプリング５０と、ラチェット１０とガイド２０との外周部間に跨って組み付けられる座付きの円筒型形状に形成された外周リング６０と、を有して構成されている。上述したラチェット１０、ガイド２０、３つのポール３０、及び操作カム４０は、それぞれ、焼き入れ処理された硬い金属板によって形成されている。
【００２８】
＜ラチェット１０について＞
以下、上述した各部材の具体的な構成について順に詳しく説明していく。図４〜図５に示すように、ラチェット１０は、略円板形状に形成されており、その円板本体１１の外周縁部に、ガイド２０への組み付け方向となる軸方向に略円筒形状に突出する円筒部１２が形成された構成とされている。上述した円筒部１２は、円板本体１１の外周縁部が、板厚方向に２段階に突出するように押し出されて、内外２段の円筒形状を有する段付き円筒形状に形成された構成とされている。上述した円筒部１２の外周側となる２段目の円筒部分の内周面には、後述する各ポール３０の外周面に形成された各外周歯３１をそれぞれ径方向の内側から押し付けて噛合させることのできる内周歯１２Ａが周方向の全域に亘って連続的に形成されている。上記内周歯１２Ａは、詳しくは、径方向の内側を向く複数の内歯が周方向に２度ピッチで等間隔に連続的に並んだ形となって形成されている。
【００２９】
また、上述した円筒部１２の内周側となる１段目の円筒部分の内周面には、その周方向の３箇所の位置に、径方向の内側に向かって部分的に棚状に突出する乗上げ部１２Ｂが形成されている。これら乗上げ部１２Ｂは、それぞれ、円筒部１２の内周側となる１段目の円筒部分の内周面上から互いに同心円状の円弧面を成す形に突出して形成されている。これら乗上げ部１２Ｂは、互いに周方向に等間隔に並べられた配置とされており、図５において後述する各ポール３０に形成された突起部３３と互いの周方向の配置が並んだ状態となるときに、対応する各突起部３３を各ポール３０の径方向の外側への移動に伴って径方向の内側から当接させて、各ポール３０のラチェット１０との噛合移動を途中位置で食い止めるように機能するものとなっている。
【００３０】
上記ラチェット１０がガイド２０に対して相対回転する回転域のうち、上述した各乗上げ部１２Ｂが各ポール３０の突起部３３と周方向に並んで各ポール３０のラチェット１０との噛合移動を途中で食い止める回転域が、上述した「フリーゾーン」に相当する回転域となっている。また、上記各乗上げ部１２Ｂが各ポール３０の突起部３３と周方向にずれて各ポール３０がラチェット１０と噛合することができる回転域が、上述した「ロックゾーン」に相当する回転域となっている。
【００３１】
また、上述したラチェット１０の円板本体１１の中心部には、丸孔形状に貫通した貫通孔１１Ａが形成されている。この貫通孔１１Ａ内には、後述する操作カム４０の中心部に差し込まれて装着される操作ピン５Ａが軸方向の外側から回転フリーな状態に差し通されるようになっている。上記構成のラチェット１０は、図２及び図７に示すように、上述した円板本体１１の外周部が、シートバック２のサイドフレーム２Ｆに形成された対応する略丸孔形状に貫通して形成された嵌合孔２Ｆａ内に嵌め込まれて溶接されることにより、サイドフレーム２Ｆに強固に一体的に結合された状態とされている。
【００３２】
＜ガイド２０について＞
図４〜図５に示すように、ガイド２０は、上述したラチェット１０よりもひとまわり大きな外径をもつ略円板形状に形成されており、その円板本体２１の外周縁部に、ラチェット１０への組み付け方向となる軸方向に円筒形状に突出する円筒部２２が押し出されて形成された構成とされている。上記円筒部２２は、その内径寸法が上述したラチェット１０の円筒部１２の外周側となる２段目の円筒部分の外径寸法よりも僅かに大きな形となるように形成されている。
【００３３】
上記構成により、ガイド２０は、図７に示すように、上述した円筒部２２内にラチェット１０の円筒部１２の外周側となる２段目の円筒部分が軸方向にセットされることにより、互いの円筒部１２，２２同士が径方向の内外に緩やかに嵌まり合った状態となって互いに相対回転可能に内外に支え合った状態に組み付けられるようになっている。そして、上記ガイド２０は、上記円筒部２２とラチェット１０の円筒部１２との間に後述する外周リング６０が外周側から跨った状態に装着されることにより、上記外周リング６０を介してラチェット１０に対して軸方向に外れ止めされた状態に組み付けられるようになっている（図２〜図３及び図７参照）。
【００３４】
図５に示すように、上述したガイド２０の円板本体２１の内側面上には、その周方向の３箇所の位置に、ラチェット１０への組み付け方向となる軸方向に略扇形状に突出するガイド壁２３が押し出されて形成されている。これらガイド壁２３は、それらの外周面が互いに同心円状の円弧を描く形に湾曲した形状とされており、上記ガイド２０の円筒部２２内に組み付けられる前述したラチェット１０の円筒部１２内に緩やかに嵌まり込んだ状態としてセットされるようになっている。上述した各ガイド壁２３の形成により、各ガイド壁２３の周方向の各配置間領域には、後述する各ポール３０をそれぞれ径方向の内外に摺動させられる状態にセットすることのできるポール収容溝２４Ａが形成されている。また、上述した各ガイド壁２３によって囲まれた円板本体２１の中央領域には、後述する操作カム４０を軸回転させられる状態にセットすることのできるカム収容溝２４Ｂが形成されている。
【００３５】
上述した各ガイド壁２３は、これらの周方向の各配置間領域である各ポール収容溝２４Ａ内にセットされた対応する各ポール３０を、それぞれ、周方向の両側から僅かな隙間Ｔを持たせた状態にあてがえて、径方向の内外方にのみ摺動させられる状態に支持する構成とされている。また、上述した各ガイド壁２３には、それらの内周面に、径方向の外側に向かって凹んだ規制部２３Ａが形成されている。これら規制部２３Ａは、図８及び図１０において後述するように、各ポール３０が操作カム４０によって径方向の内側から外側に押し出される形に操作された際に、これらポール３０から周方向の一方側に延び出して形成された後述する各押当部３５を、それぞれ、径方向の内側から受け入れて、周方向に移動規制した状態に当接させる構成とされている。上記各規制部２３Ａに対する各押当部３５の当接により、各ポール３０は、ガイド２０に対する周方向のガタが抑えられた状態として、ラチェット１０の内周歯１２Ａと噛合することができるようになっている。
【００３６】
図５に示すように、上述したガイド２０の円板本体２１の中心部には、後述するロックスプリング５０を内部に収容した状態にセットすることのできる略丸孔形状に貫通した貫通孔２１Ａが形成されている。上記貫通孔２１Ａには、その孔形状の一部分から径方向の外側に向かって細長く孔を延出させる形とされた掛入れ孔２１Ｃが形成されている。上記掛入れ孔２１Ｃ内には、上述した貫通孔２１Ａ内にセットされるロックスプリング５０の外側の端部５２を軸方向に嵌め込んで周方向に一体的に固定した状態にセットすることができるようになっている。
【００３７】
図４に示すように、上述したガイド２０の円板本体２１の外側面上には、その周方向の３箇所の位置に、軸方向に略寸胴状の形に突出したダボ２１Ｂが形成されている。これらダボ２１Ｂは、上述した円板本体２１の外側面上における各ガイド壁２３の周方向の形成領域から外れた各配置間領域の外側面上に、それぞれ、１つずつ軸方向に押し出された形となって形成されている。上記構成のガイド２０は、図３及び図７に示すように、上述した円板本体２１の外側面上から突出する各ダボ２１Ｂが、リクライニングプレート３Ｆに形成された対応する各嵌合孔３Ｆａ内に嵌め込まれて溶接されることにより、リクライニングプレート３Ｆに強固に一体的に結合された状態とされている。上記リクライニングプレート３Ｆには、更に、ガイド２０に対して軸方向の内側から外側へと通される操作ピン５Ａを外側に通し出すための丸孔形状の通し孔３Ｆｂが貫通して形成されている。
【００３８】
＜ポール３０について＞
図５に示すように、３つのポール３０は、それぞれ、略矩形状にカットされた板材により形成されている。上述した各ポール３０は、それぞれ、上述したガイド２０の円板本体２１の内側面上に形成された各ポール収容溝２４Ａ内にそれぞれ１つずつ収容された状態としてセットされている。上述した各ポール３０は、それぞれ、上述したガイド２０の各ポール収容溝２４Ａ内に組み付けられた際に内周側に配置される内周側の領域３０Ｂが、外周側の領域３０Ａに対して、ラチェット１０への組み付け方向となる軸方向に半抜きされた形に押し出された形状とされている。上述した各ポール３０は、上述した各ポール収容溝２４Ａ内に組み付けられた状態では、各ポール収容溝２４Ａの周方向の両側に位置する各ガイド壁２３によって周方向の両側から支持された状態として、径方向の内外方にしか移動できないように拘束された状態とされるようになっている（図８参照）。
【００３９】
また、各ポール３０は、図７に示すように、上述した各ポール収容溝２４Ａ内に組み付けられた状態では、それらの軸方向に半抜きされた外周側の領域３０Ａがガイド２０の円板本体２１の内側面上に接地されて、同領域３０Ａの径方向の外側の位置に、上記ガイド２０の円筒部２２内に組み付けられたラチェット１０の円筒部１２の内周歯１２Ａが露呈した状態として設けられるようになっている。また、各ポール３０は、上記組み付けられた状態では、それらの軸方向に半抜きされた内周側の領域３０Ｂがガイド２０の円板本体２１の内側面上から浮いた状態にセットされて、同領域３０Ｂの径方向の外側の位置に、上述したラチェット１０の円筒部１２の乗上げ部１２Ｂの形成された内周側となる１段目の円筒部分の内周面が露呈した状態として設けられるようになっている。
【００４０】
図４〜図５に示すように、上述した各ポール３０の軸方向に半抜きされた外周側の領域３０Ａの外周面には、上述したラチェット１０の内周歯１２Ａと噛合することのできる形とされた外周歯３１が周方向の全域に亘って連続的に並んだ形となって形成されている。各外周歯３１は、詳しくは、径方向の外側を向く複数の外歯が周方向に２度ピッチで等間隔に連続的に並んだ形となって形成されている。
【００４１】
また、図５に示すように、上述した各ポール３０の軸方向に半抜きされた内周側の領域３０Ｂの外周面上には、それらの周方向の中央箇所に、径方向の外側に部分的に突出した突起部３３が形成されている。また、上記各ポール３０の軸方向に半抜きされた内周側の領域３０Ｂ上には、それぞれ、周方向に略円弧状に延びる形とされた長孔３４が軸方向に貫通した形となって形成されている。これら長孔３４内には、後述する操作カム４０に形成された対応する各引込みピン４２が軸方向に差し込まれた状態にセットされるようになっている。
【００４２】
上記構成の各ポール３０は、図８〜図９に示すように、上述したガイド２０の中心部にセットされた操作カム４０が、後述するロックスプリング５０のバネ付勢力やリクライニングレバー５の引き上げ操作力によって、正逆それぞれの方向に軸回転操作されることにより、同操作カム４０によって径方向の外側に押し出されたり（図８参照）内側に引き込まれたり（図９参照）するように操作されるようになっている。
【００４３】
上述した各ポール３０は、それぞれ、図８に示すように、上述した操作カム４０によって径方向の内側から外側に押し出されることにより、それらの外周面に形成された外周歯３１がラチェット１０の内周歯１２Ａに押し付けられて噛合した状態となる。上記噛合により、各ポール３０がラチェット１０に対して周方向に一体的に結合された状態となり、各ポール３０を介してラチェット１０とガイド２０との間の相対回転がロックされた状態となる。すなわち、各ポール３０は、ガイド２０との関係においては、上述した各ガイド壁２３による周方向の支えによって径方向の内外方にしか移動することができないことから、ラチェット１０と噛合して周方向に一体的な状態となることにより、ラチェット１０のガイド２０に対する回転をロックするように機能するからである。
【００４４】
また、図９に示すように、各ポール３０は、上述した操作カム４０によって径方向の内側に引き込まれることにより、上述したラチェット１０の内周歯１２Ａとの噛合状態から外される。これにより、上述したラチェット１０とガイド２０との間の回転ロック状態が解除されて、ラチェット１０とガイド２０とが互いに相対回転することのできる状態へと切り替えられる。上記解除切り替えにより、シートバック２（図１参照）の背凭れ角度を変えられる状態となる。
【００４５】
上述した各ポール３０は、具体的には、図８に示すように、それらの軸方向に半抜きされた外周側の領域３０Ａの内周面が、それぞれ、被押圧面３２として、操作カム４０の図示時計回り方向の回転により、同操作カム４０の外周面上から突出する各肩部４４によって径方向の内側から外側に押圧力を受けて押し動かされるようになっている。また、各ポール３０は、図９に示すように、それらの軸方向に半抜きされた内周側の領域３０Ｂ上に形成された各長孔３４が、操作カム４０の図示反時計回り方向の回転に伴い、これら長孔３４内に差し込まれた操作カム４０の各引込みピン４２により径方向の内側に引き込まれるように操作されるようになっている。
【００４６】
詳しくは、上述した各ポール３０は、図８で前述した、操作カム４０によって径方向の外側に押し出される移動により、それらの周方向の一方側の側部から延び出す各押当部３５が、各ポール３０を周方向の一方側から支える各ガイド壁２３の内周面に凹んで形成された各規制部２３Ａ内に径方向の内側から入り込んで、各規制部２３Ａと当接して周方向のガタが抑えられた状態をとるようになっている。そして、上述した各ポール３０は、上述した各押当部３５が各規制部２３Ａに当接した状態から、更なる操作カム４０の回転の進行により径方向の外側に押し出されるように操作されることで、上述したラチェット１０の内周歯１２Ａと噛合する位置まで押し動かされるようになっている。
【００４７】
上記の構成についてより詳しく説明すると、図１０に示すように、各ポール３０は、上述した操作カム４０によって径方向の内側から外側へと押し出されると、それらの外周歯３１がラチェット１０と噛合するよりも先に、各押当部３５が上述した各規制部２３Ａ内に入り込んで各規制部２３Ａと当接する。上述した各規制部２３Ａは、各押当部３５を受け入れる凹みの内壁面が、それぞれ、径方向の内側から外側に向かって受け入れ幅を先細り状に漸次狭めていく傾斜面２３Ａ１となって形成されている。一方、各押当部３５は、それらの先端面が、正円状に湾曲した形となって膨らんだ湾曲面３５Ａとして形成されており、各湾曲面３５Ａが上述した各規制部２３Ａの先細り状に傾斜した両傾斜面２３Ａ１に突き当てられて径方向かつ周方向に当接した状態とされるようになっている。
【００４８】
そして、各ポール３０は、上述した各押当部３５が各規制部２３Ａに当接した後、更なる操作カム４０の回転の進行によって径方向の内側から外側へと押圧されることにより、上述した各押当部３５の湾曲面３５Ａがそれらの各規制部２３Ａの傾斜面２３Ａ１に当接している当接点（第２当接点Ｃ２）を支点に、湾曲面３５Ａを各傾斜面２３Ａ１に対して当接点（第２当接点Ｃ２）を一定に保つ形で回転方向に摺動させながら、径方向の外側に押し回される形で動かされて、それらの外周歯３１をラチェット１０の内周歯１２Ａと噛合させた状態となる。
【００４９】
ここで、上述した各ポール３０の外周歯３１は、それぞれ、図１１に示すように、それらの周方向の中央箇所においてラチェット１０の内周歯１２Ａと最も深く入り込み、そこから周方向の両端側に向かって漸次、ラチェット１０の内周歯１２Ａに対する入り込みが漸次浅くなっていくように歯丈が小さくなっていく形に形成されている。上記構成により、図１０に示すように、各ポール３０は、上記のように各押当部３５が各規制部２３Ａとの当接点（第２当接点Ｃ２）を支点に、径方向の外側に押し回される形でラチェット１０の内周歯１２Ａと噛合する際にも、それらの外周歯３１の周方向の中央箇所が他の箇所に先行してラチェット１０の内周歯１２Ａに当たって噛合するようになっている（第３当接点Ｃ３）。なお、上記外周歯３１の具体的な形状は、特開２０１５−２９６３５号公報に記載されたものと同じとなっている。
【００５０】
上述した各ポール３０が操作カム４０の各肩部４４によって径方向の内側から押圧される第１当接点Ｃ１と、各ポール３０の押当部３５が各ガイド壁２３の規制部２３Ａに当接する第２当接点Ｃ２と、各ポール３０の外周歯３１がラチェット１０の内周歯１２Ａと噛合する第３当接点Ｃ３と、は互いに周方向にずれた配置関係とされている。詳しくは、第１当接点Ｃ１が、第２当接点Ｃ２と第３当接点Ｃ３との間の周方向位置に配置されており、上記第１当接点Ｃ１と第２当接点Ｃ２と第３当接点Ｃ３とを結ぶ線分が周方向に細長く延びる三角形状を形成する配置関係とされている。
【００５１】
このような配置関係とされていることにより、各ポール３０が操作カム４０の各肩部４４によって径方向の内側から外側へと押し出される動きにより、各ポール３０の押当部３５を各ガイド壁２３の規制部２３Ａに適切に当接させると共に、上記当接の後に各ポール３０の外周歯３１をラチェット１０の内周歯１２Ａにも適切に噛合させることができるようになっている。なお、上記第３当接点Ｃ３が第２当接点Ｃ２の前に先行して当接するように、各ポール３０の押当部３５と各ガイド壁２３の規制部２３Ａとの形状関係が定められていてもよい。このような場合であっても、第３当接点Ｃ３を支点に各ポール３０を周方向に傾かせるように押し回しながら第２当接点Ｃ２を当接させることはできる。
【００５２】
＜操作カム４０について＞
操作カム４０は、図５に示すように、略円板形状に形成されており、上述したガイド２０の円板本体２１の内側面上に形成されたカム収容溝２４Ｂ内に収容された状態としてセットされている。上述した操作カム４０は、図７に示すように、上述した各ポール３０の板厚と同程度の板厚を有した形状とされており、上述したガイド２０の円板本体２１の内側面と各ポール３０の軸方向に半抜きされた内周側の領域３０Ｂとの間に挟まれる形で、各ポール３０の外周側の領域３０Ａによって外周側から囲まれる配置となる径方向の内側の位置に配置された状態とされている。
【００５３】
図５に示すように、上述した操作カム４０の中心部には、図１で前述したリクライニングレバー５と一体的に接続される操作ピン５Ａを軸方向の内側から差し込んで一体的に装着した状態とすることのできる貫通孔４１が形成されている。上述した操作ピン５Ａは、図５に示すように、上述した操作カム４０の貫通孔４１内に軸方向の内側から外側へと貫通した状態に差し込まれ、その先で、図１で前述したリクライニングレバー５と一体的に接続されることにより、リクライニングレバー５の引き上げ操作に伴って操作カム４０を一体的に回転操作するようになっている。上述した操作ピン５Ａは、図１で前述したもう一方側のリクライナ４に差し込まれている操作ピン５Ａとコネクティングロッド５Ｂを介して一体的に連結されており、上記リクライニングレバー５が引き上げられる操作によって、もう一方側の操作ピン５Ａも一体的に回転操作するようになっている。
【００５４】
図５に示すように、上述した操作カム４０は、上述したガイド２０の中心部に形成された貫通孔２１Ａよりもひとまわり大きな略円板形状に形成されており、ガイド２０の貫通孔２１Ａに臨む側面上に２本の引掛ピン４３が軸方向に突出した形となって形成されている。これら引掛ピン４３には、図３に示すように、後述するロックスプリング５０の内側の端部５１がこれらの間に挟み込まれる形に引掛けられて一体的に固定されるようになっている。
【００５５】
上述した操作カム４０は、上述したガイド２０に対して、ロックスプリング５０を介して弾性支持された状態に組み付けられている。すなわち、操作カム４０は、上述したガイド２０のカム収容溝２４Ｂ内にセットされた状態から、そのガイド２０の貫通孔２１Ａに臨む側面上から突出する各引掛ピン４３間にロックスプリング５０の内側の端部５１が引掛けられ、更に同ロックスプリング５０の外側の端部５２がガイド２０の貫通孔２１Ａから延びる掛入れ孔２１Ｃ内に掛け入れられてロックスプリング５０がガイド２０の貫通孔２１Ａ内にセットされることにより、ガイド２０に対してロックスプリング５０を介して弾性支持された状態として組み付けられている。
【００５６】
上記組み付けにより、操作カム４０は、図７に示すように、上述したガイド２０と各ポール３０の軸方向に半抜きされた内周側の領域３０Ｂとの間で軸方向に挟まれた状態として支持されると共に、図８に示すように、径方向においては各ポール３０の軸方向に半抜きされた外周側の領域３０Ａの被押圧面３２によって外周側から囲まれた形となって設けられた状態とされている。そして、上記操作カム４０は、上記ガイド２０との間に掛着されたロックスプリング５０（図３参照）のバネ付勢力によって、常時、ガイド２０に対して図８に示す時計回り方向に回転付勢された状態とされている。上記付勢による図示反時計回り方向の回転により、操作カム４０は、その外周部上の周方向の複数箇所に突出して形成された各肩部４４によって、各ポール３０の被押圧面３２を径方向の内側から外側へと漸次押し出す形で操作するようになっている。
【００５７】
また、上記操作カム４０は、図１で前述したリクライニングレバー５の引き上げ操作が行われることにより、図９に示すように、操作ピン５Ａによって上記付勢方向とは反対側となる図示反時計回り方向に回転操作される。これにより、操作カム４０は、その各ポール３０の長孔３４内に差し込まれている各引込みピン４２が、各長孔３４内を周方向に移動しながら各長孔３４の径方向の外側に移動していく形状によって、各ポール３０を径方向の内側へ引き込むように操作するようになっている。
【００５８】
＜外周リング６０について＞
図４〜図５に示すように、外周リング６０は、薄板材がリング状に打ち抜かれると共に、その打ち抜かれた円板の外周部分が板厚方向に絞り加工されることにより、座の付いた円筒型形状に形成されている。詳しくは、上記外周リング６０は、上記座の内周部分が座の外周部分に対して更に軸方向に押し出されることにより、上記座の内周部分に、ラチェット１０の円筒部１２の外周側となる２段目の円筒部分に軸方向の外側からあてがわれる第１押さえ部６１が形成され、座の外周部分に、ガイド２０の円筒部２２に軸方向の内側からあてがわれる第２押さえ部６２が形成された構成とされている。
【００５９】
上記外周リング６０は、その円筒内部にラチェット１０とガイド２０とが軸方向に順に組み付けられた後、そのガイド２０を軸方向に越えて延び出す円筒部分の先（かしめ部６３）を第２押さえ部６２を支点に径方向の内側に折り曲げる形にかしめることにより、上記かしめ部６３と第２押さえ部６２との間にガイド２０の円筒部２２を軸方向に一体的に挟み込む形にかしめられた状態として、ガイド２０に一体的に組み付けられた状態とされている。上記組み付けにより、外周リング６０は、その第１押さえ部６１をラチェット１０の円筒部１２の外側に軸方向に対面させた状態として、ラチェット１０をガイド２０に対して軸方向に脱落させることなく回転させられる状態に保持した状態とされている。
【００６０】
＜まとめ＞
以上をまとめると、本実施例のリクライナ４は次のような構成とされている。すなわち、リクライナ４は、回転止め可能な回転軸装置として機能するものであり、互いに相対回転可能に軸方向に組み付けられたラチェット１０及びガイド２０と、ラチェット１０とガイド２０との間に設けられてこれらの相対回転を径方向の噛合によりロックするロック機構と、を有する。ロック機構は、ガイド２０により周方向に支えられ径方向の外側へ押される移動によりラチェット１０に形成された内周歯１２Ａと噛合する外周歯３１を備えた複数のポール３０と、複数のポール３０をガイド２０に対して径方向の外側へ押し出すように操作する操作カム４０と、を有する。複数のポール３０のうちの特定のポール（全てのポール３０）は、操作カム４０によって径方向の外側へ押される移動によりガイド２０に形成された規制部２３Ａに径方向の内側から周方向の移動が規制された状態に当接する押当部３５を有する構成とされている。
【００６１】
このような構成とされていることにより、複数のポール３０とこれらを周方向に支えるガイド２０との間に摺動性確保のための周方向の隙間Ｔが設定されていても、各ポール３０がラチェット１０と噛合する際に特定のポール（全てのポール３０）に形成された押当部３５がガイド２０の規制部２３Ａと当接することで、同特定のポール（全てのポール３０）のガイド２０に対する周方向のガタが規制される。上記規制により、上記規制と合わせてラチェット１０と噛合状態となる特定のポール（全てのポール３０）を介して、ラチェット１０とガイド２０との間の周方向のガタを簡素な構成で詰めることができる。
【００６２】
また、特定のポール（全てのポール３０）が操作カム４０によって径方向の内側から押される第１当接点Ｃ１と、押当部３５が規制部２３Ａに当接する第２当接点Ｃ２と、特定のポール（全てのポール３０）が外周歯３１の一部をラチェット１０に優先的に押し当てて噛合させる第３当接点Ｃ３と、が、互いに周方向にずれた配置関係とされている。このような構成とされていることにより、特定のポール（全てのポール３０）が操作カム４０によって径方向の内側から押される移動により、第２当接点Ｃ２と第３当接点Ｃ３のうちのどちらが先に当てられても、更なる移動の進行によってもう一方も適切に当てた状態とできるように、特定のポール（全てのポール３０）の姿勢を適切に補正することができる。
【００６３】
また、特定のポール（全てのポール３０）は、操作カム４０によって径方向の外側へ押される移動によりラチェット１０と噛合するよりも先に押当部３５が規制部２３Ａに当接し、更なる移動の進行によりラチェット１０と噛合する構成とされている。このような構成とされていることにより、特定のポール（全てのポール３０）の押当部３５をガイド２０の規制部２３Ａに適切に当接させた状態として、特定のポール（全てのポール３０）をラチェット１０と噛合させることができる。
【００６４】
また、押当部３５と規制部２３Ａとの当接形状が、これらの当接点（第２当接点Ｃ２）を支点に特定のポール（全てのポール３０）をラチェット１０と噛合させる径方向の外側へと回転させられるようにする線当たり形状（正円状に湾曲した湾曲面３５Ａが先細り状の傾斜面２３Ａ１に線当たりする形状）とされている。このような構成とされていることにより、特定のポール（全てのポール３０）の押当部３５とガイド２０の規制部２３Ａとの当接点（第２当接点Ｃ２）を変化させることなく、安定した動きで特定のポール（全てのポール３０）をラチェット１０と噛合させることができる。
【００６５】
また、押当部３５が特定のポール（全てのポール３０）から周方向に延出した凸形状とされ、規制部２３Ａが押当部３５を径方向の内側から受け入れ可能にガイド２０に凹んで形成された凹形状とされている。このように、ガイド２０と特定のポール（全てのポール３０）との形状関係において、形状が大きい側となるガイド２０に規制部２３Ａを凹形状として形成し、形状が小さい側となる特定のポール（全てのポール３０）に押当部３５を凸形状として形成することで、これらを成形性良く肉抜きしたり肉増ししたりして簡便に形成することができる。
【００６６】
また、上述した複数のポール３０の全てに押当部３５が形成されている。このような構成とされていることにより、ラチェット１０とガイド２０との間の周方向のガタを簡素な構成によって効果的に詰めることができる。
【００６７】
＜その他の実施形態について＞
以上、本発明の実施形態を１つの実施例を用いて説明したが、本発明は上記実施例のほか各種の形態で実施することができるものである。例えば、本発明のリクライナは、自動車の左側座席以外のシートにも適用することができる他、鉄道等の自動車以外の車両や、航空機、船舶等の様々な乗物用に供されるシートにも広く適用することができるものである。また、リクライナは、シートバックをシートクッションに対して背凭れ角度の調節を行える状態に連結するものの他、シートバックをフロア上に固定されたブラケット等のベースに対して背凭れ角度の調節を行える状態に連結するものであってもよい。
【００６８】
また、リクライナは、ラチェットがシートクッション等のフロア上に固定される側の部材に結合され、ガイドがシートバックに結合される構成であってもよい。また、リクライナのロック機構を構成する複数のポールは、周方向に２つ又は４つ以上並べられて設けられるものであってもよい。各ポールの周方向の配置は、均等配置されるものに限らず、片寄って配置されるものであってもよい。また、各ポールを径方向の外側に押し出すように操作する操作カムは、回転により各ポールを径方向の外側に押し出すタイプの他、径方向のスライドにより各ポールを上記スライド方向とは垂直となる径方向に押し出すようにスライドさせるタイプの構成であってもよい（特開２０１５−２２７０７１号公報参照）。なお、各ポールを径方向の内側へ引き戻す操作は、レリーズプレート等の操作カムとは別体の部材によって行われるようになっていてもよい（同公報参照）。
【００６９】
また、複数のポールのうち、操作カムによって径方向の外側へ押し出された際にガイドに形成された規制部と当接する押当部を有するものは、少なくとも１つあればよく、必ずしも全てのポールが上記規制部と当接する押当部を有するものでなくてもよい。また、１つのポールに形成された押当部によって周方向の一方のガタ詰めをし、もう１つのポールに形成された押当部によって周方向の他方のガタ詰めをするように構成してもよい。
【００７０】
また、上記押当部と規制部との形状関係は、必ずしも押当部が凸で規制部が凹でなくてもよく、押当部が凹で規制部が凸となる形状であってもよい。また、両者が凹凸の関係ではなく、単に、向かい合わせる形状同士の接触で当てられるものであってもよい。両者の当接は、曲面同士の接触や平面同士の接触など、線接触の他、点接触や面接触で当接するものであってもよい。
【００７１】
また、上記押当部を有する特定のポールは、操作カムによって径方向の外側へ押される移動により、押当部が規制部と当接するよりも先にラチェットと噛合し、更なる移動の進行により上記ラチェットとの噛合点を支点に傾動して押当部を規制部と当接させる構成であってもよい。また、上記特定のポールは、必ずしも外周歯における周方向の中央箇所がラチェットに最も深く入り込んで噛合するものでなくてもよく、中央から外れた箇所がラチェットに最も深く入り込んで噛合するものであってもよい。いずれの場合でも、上記特定のポールをラチェットと最も深く入り込んで噛合する点を支点に周方向に傾けた角度姿勢を取れる構成とすることができる。
【符号の説明】
【００７２】
１      シート
２      シートバック
２Ｆ    サイドフレーム
２Ｆａ  嵌合孔
３      シートクッション
３Ｆ    リクライニングプレート
３Ｆａ  嵌合孔
３Ｆｂ  通し孔
４      リクライナ
５      リクライニングレバー
５Ａ    操作ピン
５Ｂ    コネクティングロッド
６      リターンスプリング
１０    ラチェット
１１    円板本体
１１Ａ  貫通孔
１２    円筒部
１２Ａ  内周歯
１２Ｂ  乗上げ部
２０    ガイド
２１    円板本体
２１Ａ  貫通孔
２１Ｂ  ダボ
２１Ｃ  掛入れ孔
２２    円筒部
２３    ガイド壁
２３Ａ  規制部
２３Ａ１  傾斜面
２４Ａ  ポール収容溝
２４Ｂ  カム収容溝
３０    ポール
３０Ａ  外周側の領域
３０Ｂ  内周側の領域
３１    外周歯
３２    被押圧面
３３    突起部
３４    長孔
３５    押当部
３５Ａ  湾曲面
４０    操作カム
４１    貫通孔
４２    引込みピン
４３    引掛ピン
４４    肩部
５０    ロックスプリング
５１    内側の端部
５２    外側の端部
６０    外周リング
６１    第１押さえ部
６２    第２押さえ部
６３    かしめ部
Ｃ１    第１当接点
Ｃ２    第２当接点
Ｃ３    第３当接点
Ｔ      隙間
【図１】
0006648636.tif 000002
【図２】
0006648636.tif 000003
【図３】
0006648636.tif 000004
【図４】
0006648636.tif 000005
【図５】
0006648636.tif 000006
【図６】
0006648636.tif 000007
【図７】
0006648636.tif 000008
【図８】
0006648636.tif 000009
【図９】
0006648636.tif 000010
【図１０】
0006648636.tif 000011
【図１１】
0006648636.tif 000012